(57)【要約】      （修正有）【課題】メダルの補給やメダル保留装置のメンテナンスが容易なメダルの処理装置を提供する。【解決手段】少なくとも、前面ドアによって前面開口を開閉可能な筐体と、前記筐体内の上部に配置されたメダルの払出保留装置と、前記払出保留装置の下方に配置されたメダル払出装置と、前記メダル払出装置の下方に配置された主メダル保留装置と、前記メダル保留装置に保留された前記メダルを前記払出保留装置に揚送するメダルリフトと、を備えたメダルの処理装置において、前記主メダル保留装置と前記前面開口の間に位置する待機位置と前記全面開口の外側であって、一部が床面に支えられ、かつ、ほぼ水平なガイド位置とに選択的に位置可能な支え装置を設け、前記主メダル保留装置は、下面にキャスターを有し、前記キャスターが前記支え装置上を転がって前記主メダル保留装置が前記全面開口の外側に移動可能であることを特徴とするメダルの処理装置である。【選択図】図７
2007061362.tif 000002
【特許請求の範囲】
【請求項１】
少なくとも、前面ドア(106)によって前面開口(198)を開閉可能な筐体(104)と、
前記筐体内の上部に配置されたメダルの払出保留装置(142)と、
前記払出保留装置の下方に配置されたメダル払出装置(140)と、
前記メダル払出装置の下方に配置された主メダル保留装置(130)と、
前記メダル保留装置に保留された前記メダルを前記払出保留装置に揚送するメダルリフト(144)と、
を備えたメダルの処理装置(100)において、
前記主メダル保留装置と前記前面開口の間に位置する待機位置(SP)と前記全面開口の外側であって、一部が床面に支えられ、かつ、ほぼ水平なガイド位置(GP)とに選択的に位置可能な支え装置(220)を設け、
前記主メダル保留装置は、下面にキャスター(192、194、196、198)を有し、
前記キャスターが前記支え装置上を転がって前記主メダル保留装置が前記全面開口の外側に移動可能であることを特徴とするメダルの処理装置。
【請求項２】
請求項１のメダルの処理装置において、前記支え装置は、前記筐体に一端をピボット運動可能に取り付けられ、かつ、他端部にピボット運動可能に取り付けられ、一部が床面(222)に支えられる支柱(226)を有することを特徴とする。
【請求項３】
請求項２のメダルの処理装置において、前記支柱は、少なくとも一部が床面に支えられる位置において、その状態を保持するロック装置(290)を備えることを特徴とする。
【発明の詳細な説明】
【技術分野】
【０００１】
本発明は、ゲーム場で用いるメダル等のトークン、パチンコ玉等のメダルの処理装置に関する。
特に、メダルを大量に保留する保留装置の安全性と取り扱い性を高めたメダルの処理装置に関する。
なお、本明細書で使用する「メダル」は、パチスロ機やメダルゲーム用のメダル、トークン、代用コイン、及び、パチンコ玉等の遊技媒体の総称である。
【従来の技術】
【０００２】
第１の従来技術として、メダル貸出装置において、筐体の上部にメダルの保留部を配置し、その下方にメダルの払出装置を配置したものが知られている (例えば、特許文献１参照。)。
また、第２の従来技術として、メダル研磨装置、メダル計数機、及び、揚送装置にそれぞれキャスターを取付け、それらをキャスターによって床面上を移動させて筐体に出し入れ自在にしたメダル処理装置が知られている(例えば、特許文献２参照。)。
さらに、第３の従来装置として、メダル預かり払出装置において、筐体の下方に受け入れたメダルのストック部を配置し、上方に払出のためのストック部を配置し、受入ストック部のメダルを搬送用ベルトコンベア及びリフト装置を用いて払出ストック部に揚送することが知られている(例えば、特許文献３参照。)。
【０００３】
【特許文献１】特許2748084号(4頁、図3)
【特許文献２】特開2004-81516 (２―５頁、図２―３)
【特許文献３】特開2002-126177 (５―６頁、図４)
【発明の開示】
【発明が解決しようとする課題】
【０００４】
第１の従来技術において、メダルを保留部に補給する場合、メダルを筐体の上部に持ち上げて補給せねばならない。
メダル貸出装置は、メダルの保留量及び顧客の身長を考慮して保留部の位置が定められる。
メダル保留量は、メダルの補給回数を減らすため可及的に多いことが好ましい。
一方、メダルの払出口は、顧客が使い勝手の良い位置、換言すれば顧客が屈んだり、しゃがんだりしない位置にあることが好ましい。
具体的には、少なくとも床面から50センチ以上の位置にメダルの払出口を配置することが好ましい。
メダルの払出装置は前記払出口との関係から床面から約60センチ以上の位置に配置される。
そうすると、メダル保留部の位置が高くなり、保留部にメダルを補給する場合、台や脚立に上がってメダルが入った容器からメダル保留部に補給せねばならい。
これにより、作業者は狭い台や脚立上の、足下が安定しないなかで重量物を持ち上げてメダルの補給作業をするので、作業中に落下し、怪我をする恐れがある。
【０００５】
第2の従来技術において、メダル研磨装置、メダル計数機、及び、揚送装置等はキャスターによって床面上を移動し、筐体内に出し入れされる。
しかし、メダルの保留部は筐体内に配置したままであるので、保留部へのメダルの補給及び、保留部の点検、保守等は容易でなかった。
メダル保留部にキャスターを取付け、床面上を移動可能にすることが考えられるが、不正を防止するためメダル保留部が容易に破壊されないよう頑丈に作り、かつ、ロック装置等を装着せねばならず、大型化、コスト高を招く不利があった。
【０００６】
第３の従来技術において、受入ストック部は筐体内に固定配置されている。
したがって、受入ストック部の点検・修理は筐体内で行わねばならず、容易でない問題がある。
また、第３の従来技術と第２の従来技術とを組み合わせることにより、受入ストック部を筐体内に出し入れできるようにすることが考えられる。
この場合、重量部である受入ストック部が筐体外に移動された場合、筐体の重心が筐体の外方に位置し、筐体が倒れやすくなる問題がある。
【０００７】
本発明の第１の目的は、補給時に台等に上がらなくともメダルを補給できるメダルの処理装置を提供することを目的とする。
本発明の第２の目的は、メダルの補給やメダル保留装置のメンテナンスが容易なメダルの処理装置を提供することを目的とする。
本発明の第３の目的は、大型化、コスト高を招かないメダルの処理装置を提供することを目的とする。
本発明の第４の目的は、メダル補給時に筐体が倒れることかないメダルの処理装置を提供することを目的とする。
【課題を解決するための手段】
【０００８】
この目的を達成するため、本発明にかかるメダルの処理装置は以下のように構成されている。
少なくとも、前面ドアによって前面開口を開閉可能な筐体と、前記筐体内の上部に配置されたメダルの払出保留装置と、前記払出保留装置の下方に配置されたメダル払出装置と、前記メダル払出装置の下方に配置された主メダル保留装置と、前記メダル保留装置に保留された前記メダルを前記払出保留装置に揚送するメダルリフトと、を備えたメダルの処理装置において、前記主メダル保留装置と前記前面開口の間に位置する待機位置と前記全面開口の外側であって、一部が床面に支えられ、かつ、ほぼ水平なガイド位置とに選択的に位置可能な支え装置を設け、前記主メダル保留装置は、下面にキャスターを有し、前記キャスターが前記支え装置上を転がって前記主メダル保留装置が前記全面開口の外側に移動可能であることを特徴とするメダルの処理装置である。
【発明の効果】
【０００９】
この構成において、支え装置を待機位置からガイド位置へ移動させる。
これにより、支え装置はほぼ水平に位置し、さらに一部が床面によって支えられる。
主メダル保留装置は、この支え装置上をキャスターによって転がって筐体内から引き出され、かつ、筐体内へ戻されることができる。
主メダル保留装置が支え装置上に引き出された場合、支え装置に加わる重量は、筐体及び支え装置を介して床面に支えられる。
したがって、主メダル保留装置が引き出された場合、メダルの処理装置の筐体の重心は筐体内に位置する。
よって、主メダル保留装置にメダルを補給する場合、主メダル保留装置を支え装置上に引き出した状態でメダルを補給することができる。
また、主メダル保留装置は、メダル払出装置の下方に配置されるので、筐体の下部に位置する。
したがって、メダルを主メダル保留装置に補給する場合、作業者は台等に上がることなくメダルを補給でき、安全に作業することができる。
また、支え装置は両持ち的に床面に支えられるので、主メダル保留装置に多量のメダルが貯留されていても十分に支えることができ、筐体が倒れることがない利点を有する。
主メダル保留装置は、通常、筐体内に保管されているので、筐体及びその施錠を頑丈にすることにより、セキュリティを高めることができ、大型化・コスト高を防止できる利点がある。
【００１０】
請求項２の発明は、請求項１のメダルの処理装置において、前記支え装置は、前記筐体に一端をピボット運動可能に取り付けられ、かつ、他端部にピボット運動可能に取り付けられ、一部が床面に支えられる支柱を有することを特徴とする。
この構成において、支え装置がほぼ水平に全面開口の外に位置した場合、床面に支えられる支柱によって支持される。
したがって、多量のメダルが収納されている主メダル保留装置を支え装置上に引き出した場合、支え装置は先端部の支柱によって床面に支えられるので、筐体が倒れることがない利点を有する。
また、支え装置は一端が筐体にピボット運動可能に取り付けられているので、ピボット軸を支点に筐体内外に回動により容易に収納、及び、取り出しできる。
さらに、支柱は支え装置に対しピボット運動し、待機位置と支え位置とに選択的に位置可能である。
これにより、支え装置が筐体内に収納される場合、支柱がピボット運動により支え装置とほぼ平行にされることができ、収納容積を減少することができる。
これにより、メダル処理装置の容積を小さく出来る利点がある。
【００１１】
請求項３の発明は、請求項２のメダルの処理装置において、前記支柱は、少なくとも一部が床面に支えられる位置において、その状態を保持するロック装置を備えることを特徴とする。
この構成において、支柱は床面に支えられる位置においてロック装置によってロックされる。
したがって、支柱による支え装置の支持が解除されることがないので、安全にメダル補給等の作業を行うことができる利点がある。
【発明を実施するための最良の形態】
【００１２】
少なくとも、前面ドアによって前面開口を開閉可能な筐体と、前記筐体内の上部に配置されたメダルの払出保留装置と、前記払出保留装置の下方に配置されたメダル払出装置と、前記メダル払出装置の下方に配置された主メダル保留装置と、前記メダル保留装置に保留された前記メダルを前記払出保留装置に揚送するメダルリフトと、を備えたメダルの処理装置において、前記主メダル保留装置と前記前面開口の間に位置する待機位置と前記全面開口の外側であって、一部が床面に支えられ、かつ、ほぼ水平なガイド位置とに選択的に位置可能な支え装置を設け、前記主メダル保留装置は、下面にキャスターを有し、前記キャスターが前記支え装置上を転がって前記主メダル保留装置が前記全面開口の外側に移動可能であることを特徴とするメダルの処理装置である。
【発明の実施の形態】
【００１３】
図１は、実施例のメダルの処理装置であるメダル預かり払出装置の斜視図である。
図２は、実施例のメダルの処理装置であるメダル預かり払出装置の前面ドアを開いた状態の斜視図である。
図３は、実施例のメダルの処理装置であるメダル預かり払出装置のサイドカバー等を除去した状態における後ろ上方からの斜視図である。
図４は、実施例のメダルの処理装置であるメダル預かり払出装置の支え装置をガイド位置にセットした状態の部分斜視図である。
図５は、実施例のメダルの処理装置であるメダル預かり払出装置の支え装置をガイド位置にセットした状態のロック装置の拡大側面図である。
図６は、実施例のメダルの処理装置であるメダル預かり払出装置の支え装置を待機位置にセットした状態の拡大正面図である。
図７は、図６におけるＣ―Ｃ線断面図である。
図８は、実施例のメダルの処理装置であるメダル預かり払出装置の支え装置を待機位置にセットした状態の拡大断面図である。
図９は、実施例のメダルの処理装置であるメダル預かり払出装置の支え装置をガイド位置にセットした状態の説明図である。
図１０は、実施例のメダルの処理装置であるメダル預かり払出装置の支え装置をガイド位置にセットし、かつ、主メダル保留装置を筐体外に引き出した状態の説明図である。
【００１４】
図１において、メダルの処理装置100は、メダル預かり払出装置102である。
メダル預かり払出装置102は、その箱型の筐体104の前面上部ドア106にガイド装置108及び入力装置110を兼ねるタッチパネル付ディスプレイ112が装着されている。
前面上部ドア106は、左側端に配置されたヒンジ107によってピボット運動可能に筐体104に取付けられている。
筐体104の前面下部は、前面上部ドア106と同様に左側端に配置されたヒンジ(図示せず)によりピボット運動可能に筐体104に取り付けられた前面下部ドア113によって開閉される。
【００１５】
前面下部ドア113の上部にメダル預入口114、メダル預入口114の右側に本人認証装置116である生体認証装置118、左側に払出メダルを入れる容器119のための容器投入口120が配置され、容器投入口120の下方に容器取出口122、生体認証装置118の上方にIDカード挿入口124、及び、メダル預入口114の下方に人体センサ126が配置されている。
【００１６】
また、図3に示すように、筐体104内には、筐体104の高さ方向のほぼ三分の一を占める主メダル保留装置130、その上方に各装置と制御装置132との間のインターフェース装置134、及び、メダルカウンタ136が並置され、メダルカウンタ136の上方にはカードリードライト装置138が配置され、インターフェース装置134の上方にはメダル払出装置140が配置され、メダル払出装置140の上方には払出メダル保留装置142が配置され、メダル払出装置140の側方には制御装置132が並置され、さらに、主メダル保留装置130から払出メダル保留装置142へメダルを供給するメダルリフト装置144が配置され、容器投入口120の下方には、容器自動供給装置146が配置されている。
【００１７】
筐体104の下面の四隅からネジ式の高さ調整装置147が下方に突出し、それらの下端は左右一対の支えプレート148に取り付けられている。
したがって、メダル預かり払出装置102の全重量は、支えプレート148を介して床面によって支えられ、かつ、高さ調整装置147の個別の調整により、水平出しが行われる。
【００１８】
まず、タッチパネル付ディスプレイ112を説明する。
タッチパネル付ディスプレイ112は、メダル預かり払出装置102の顧客に対するガイド表示装置108及び顧客による入力装置110を兼用している。
したがって、ガイド表示装置及び入力装置に分離して設けることができる。
もちろん、顧客に限らず、メダル預かり払出装置102の管理のための設定、及び、確認機能、並びに、メンテナンスのための設定、確認機能等を兼用することができる。
【００１９】
次に、メダル預入口114を説明する。
メダル預入口114は、顧客が預け入れようとするメダルを受入れ、メダルカウンタ136へ案内する機能を有する。
具体的には、メダル預かり払出装置102の前面の中央であって、かつ、顧客の平均的腰部高さ位置付近の前下がり斜面148にほぼ水平に開口している。
メダル預入口114には、梯子状若しくは格子状等に横木を配置し、一気に投入されたメダルがジャムしないように、かつ、顧客が預入口114の奥に手を挿入出来ないようにすることが好ましい。
メダル預入口114の前方に、メダル預入口114とほぼ同一高さ位置に平坦部148を有する容器テーブル150を配置することが好ましい。
タッチパネル付ディスプレイ112を操作する場合、若しくは、生体認証装置118により認証する場合、顧客が持参した容器119を一時置くため等である。
【００２０】
次に生体認証装置118を説明する。
生体認証装置118は、メダル預かり払出装置102にメダルを預入又は払出す顧客が本人であることを確認するための機能を有する。
生体認証装置118は、本実施例においては、手のひら静脈認証装置を使用している。
汗等による影響が少なく、識別精度が高く、かつ、比較的安価であるからである。
しかし、生体認証装置118は、指紋、掌紋、目、顔認証等本人確認のための各種システムを採用することができる。
生体認証装置118は、メダル預入口114の右側の前下がり斜面148にメダル預入口114と並列配置することが好ましい。
【００２１】
右側に生体認証装置118を配置する理由は、右利きの人が多いことによる。
また、メダル預入口114に並置した理由は、容器119をテーブル150に置いた後、横にずらすだけで、又は、IDカード挿入口124から下方にずらすだけで手をかざすことが出来るからである。
生体認証装置118が前下がり斜面148に平行に配置された場合、手のひらを装置にかざしやすいからである。
しかし、生体認証装置118は水平に配置することができる。
メダル預入口114と生体認証装置118との間の前下がり斜面148に仕切板156が配置されている。
メダル預入口114に投入されるメダルが生体認証装置118に落下しないためである。
【００２２】
次に容器投入口120を説明する。
容器投入口120は、メダル預入口114に隣接して並置されている。
このように配置した理由は、収容したメダルをメダル預入口114に投入した後の空容器119を容器投入口120に投入し易いからである。
したがって、本人認証を生体認証装置118と別の方法で行う場合、若しくは、全く行わない場合、容器投入口120は、メダル預入口114の右側に配置することができる。
また、容器投入口120は、メダル預入口114の左側にほぼ水平に配置することが好ましい。
この理由は、右手を生体認証装置118にかざし、タッチパネル付ディスプレイ112も右手で操作されることが多いと推測されるので、空き手である左手で投入可能にするためである。
【００２３】
容器投入口120は、傾斜した下端部が前下がり斜面148に固定された円筒状ガイド160の上端152であって、ほぼ水平に配置されている。
容器投入口120は、使用する容器119の形状に合わせて形成され、本実施例では円形であり、使用される容器119の全長にわたって最大径よりも僅かに大径であり、かつ、上方から下方に向かって下すぼまりのテーパー状の案内孔164の上端である。
円筒状ガイド160の下方に、メダルの容器自動供給装置146が配置されている。
【００２４】
次に容器自動供給装置146を説明する。
容器自動供給装置146は、供給信号に基づいてメダルを収納するバケット型のメダル収納容器119を自動的に一つずつ払出装置170に供給する機能を有している。
容器自動供給装置146は、容器投入口120から投入された容器119が積み重ねられた容器保留部(図示せず)と、その積み重ねられた最下の容器119を区分けし、払出装置170へ落下させる分離装置(図示せず)とを有する。
容器自動供給装置146から落下した容器119は、自由落下し、払出装置170に装着された保持装置(図示せず)によって保持される。
【００２５】
次ぎに払出装置170を説明する。
払出装置170は、容器自動供給装置146によって供給された容器119にメダルを払い出す機能を有する。
払出装置170において、容器自動供給装置146から落下した容器119は、保持装置によって所定位置に保持され、メダル払出装置140から払い出されたメダルがメダル通路172を介してその容器119に供給される。
メダルが払い出された容器119は、前面下部ドア113の容器取出口122から取り出される。
【００２６】
次にIDカード挿入口124を説明する。
IDカード挿入口124は、カードリードライド装置128の縦向き前面に設けられ、メダル預かり払出装置102の前面上部ドア106に配置されている。
IDカード(図示せず)には、顧客毎のIDが記憶されている。
顧客は、IDカードを挿入口124に挿入する。
カードリードライト装置138は、記憶されているIDから登録されている認証情報を読込み、制御装置132に出力して次行程の処理に活用する。
【００２７】
次に人体センサ126を説明する。
人体センサ126は、顧客が近づいてきたことを検知し、顧客用のガイドをタッチパネル付ディスプレイ112に表示するためのトリガー信号を発する。
人体センサ126は、例えば赤外線センサであり、人体が約40センチに近づいた場合、顧客検出信号を制御装置132に出力する。
【００２８】
次にメダルカウンタ136を説明する。
メダルカウンタ136は、メダル預入口114に投入されたメダルを受入れ、その数を高速で計数し、計数値を制御装置132に出力する機能を有する。
メダルカウンタ136は、一分間で約2000枚以上の処理能力が好ましい。
また、メダルカウンタ136は、直径、厚み、材質の規格外のメダルの排除機能を有していることが好ましいが、少なくとも直径及び厚みの規格外のメダルの排除機能を有していればよい。
【００２９】
次に主メダル保留装置130を説明する。
主メダル保留装置130は、メダルカウンタ136の出口180から落下したメダルを保留し、払出メダル保留装置142のフルセンサ182からのフル信号が出力されない場合、横搬送装置184上に所定枚数、例えば20枚のメダルを間欠的に払い出す。
主メダル保留装置130は、メダルを保留する保留ボウル186及びその下方に配置した払出ホッパ188によって構成されている。
保留ボウル186は、筐体104のほぼ全幅及び奥行きを占め、かつ、筐体104の高さの約三分の一を占める容積を有する。
換言すれば、主メダル保留装置130にメダル預かり払出装置102において保留する大部分、例えば大凡三分の二のメダルを貯留する。
【００３０】
これにより、メダル処理装置100における重量部を筐体104の下方に配置し、メダル処理装置100の重心を低くし地震等の振動発生時の倒れ防止を図っている。
したがって、払出メダル保留装置142には当面払い出す所用数(フルセンサ182により検知される量)のメダルを保留し、その保留量を保つようリフト装置144によって主メダル保留装置130から補給する。
保留ボウル186内のメダルは、底壁の傾斜によって払出ホッパ188に落下し、払出ホッパ188からカウントされつつ払い出される。
払出ホッパ188は、例えば、複数の通孔を有する回転ディスクによってメダルを一つずつ区分けしてカウントしつつ払い出すタイプが好ましい。
また、払出ホッパ188は、複数配置することができる。
払出ホッパ188を複数配置した場合、一台が故障しても、残りの払出ホッパ188によって払い出すことができるためである。
【００３１】
横搬送装置184は、払出ホッパ188から払い出されたメダルをリフト装置144に受け渡す機能を有する。
横搬送装置184は、例えば、ほぼ水平に配置されたベルトであり、払出ホッパ188のメダル払出と共に起動され、リフト装置144に払い出されたメダルを受け渡すに十分な時間経過後停止される。
次に再び払出ホッパ188から所定数のメダルを払出し、横搬送装置184を所定時間運転し、リフト装置144に払い出されたメダルを受け渡す。
横搬送装置184は、主メダル保留装置130の側壁に付設され、一体的化されている。
【００３２】
図7に示すように、主メダル保留装置130の底面には、四つのキャスター190、192、194及び196が前面開口198に対し直交方向に主メダル保留装置130が移動可能に固定されている。
また、主メダル保留装置130は、筐体104の左右側壁内面に固定された伸縮自在レール装置200、202によって前面開口198に対し直交方向に移動可能に支持されている。
したがって、主メダル保留装置130の荷重は、原則、伸縮自在レール装置200、202を介して筐体104によって支えられる。
【００３３】
次にリフト装置144を説明する。
リフト装置144は、横搬送装置184から受け取ったメダルを、上方の払出メダル保留装置142に搬送する機能を有する。
本実施例では、所定間隔でバケット190が配置され、横搬送装置184から落下したメダルをバケット190に受取り、その後次のバケット190が横搬送装置184からの受取位置になるまで上方へ移動して停止する。
バケット190が上方の所定位置に達した場合、バケット190を払出メダル保留装置142側へ下向きに傾け、バケット190内のメダルを払出メダル保留装置142内へ滑落させる。
【００３４】
次に払出メダル保留装置142を説明する。
払出メダル保留装置142は、リフト装置144から受け取ったメダルを保留する機能を有する。
具体的には水平断面が矩形筒状を呈し、下部がメダル払出装置140の上端に接続される。
払出メダル保留装置142の側壁の所定位置に光透過式のフルセンサ182が取り付けられている。
フルセンサ182からフル信号が出力されるまで、払出ホッパ188、横搬送装置184及びリフト装置144の歩進運動が所定のタイミングで繰り返され、払出メダル保留装置142に所定量のメダルが保留されるようにしてある。
【００３５】
次にメダル払出装置140を説明する。
メダル払出装置140は、払出メダル保留装置142から流入したメダルを一つずつ区分けし、かつ、カウントしつつ縦向きのメダルシュート172へ払い出す。
メダル払出装置140は、所定数のメダルを払い出した場合、停止される。
メダル払出装置140は、例えば実用新案登録第2538531号に開示された所謂コインホッパーが使用される。
メダル払出装置140は、メダルが払い出される毎に検出信号を出力する払出センサ(図示せず)を有している。
また、メダルの払出を迅速に行うため、メダル払出装置を複数配置することができる。
【００３６】
制御装置132は、タッチパネル付ディスプレイ112、生体認証装置118、人体センサ126、及び、メダル払出装置140の払出センサから信号を入力して所定の演算を行い、タッチパネル付ディスプレイ112に所定の表示を行い、容器自動供給装置146の分離装置を作動させて容器119を一つずつ落下させ、払出ホッパ188、横搬送装置184及びリフト装置144を所定のタイミングで作動させ、メダル払出装置140から所定数のメダルを払い出す処理を行わせる。
【００３７】
制御装置132は、例えばマイクロプロセッサである。
生体認証装置118の直ぐ上の前下がり斜面148には、ガイド時に発光する認証発光ガイド装置210が取り付けられ、メダル預入口114の直ぐ上の縦壁には預入口発光ガイド装置212が取り付けられ、ICカード挿入口124の直近上部にはカード挿入口発光ガイド装置(図示せず)が取り付けられている。
【００３８】
次に支え装置220を説明する。
支え装置220は、主メダル保留装置130を筐体104の前面開口198の外側に移動させた場合、その荷重を床面222上で支える機能を有する。
支え装置220は、支えプレート224、支えプレート224に取り付けられた支柱226を備えている。
【００３９】
次に支えプレート224を説明する。
支えプレート224は、筐体104の前面開口198から引き出された主メダル保留装置130のキャスター190、192、194及び196を受ける機能を有する。
したがって、主メダル保留装置130の重量は、伸縮自在レール200、202及びキャスター192、194、196及び198を介して支え装置220によって支えられる。
支えプレート224は、薄板からなり、板金加工により縁部に強度向上のためのリブ228を形成した矩形を呈している。
支えプレート224の裏面にも強度向上のため、所定数のリブを取り付けることが好ましい。
支えプレート224の一端は、筐体104の底板230の前面開口198側の端部にヒンジ232によってピボット運動可能に取り付けられている。
支えプレート224の底板230近傍の下面には、重量を支えるためのサポートラバー234、236が左右端部にそれぞれ固定されている。
これらサポートラバー234、236の下面は、支えプレート224がほぼ水平を呈し、支柱226の下端が床面222に支えられた状態において、筐体104の底板230に対し僅か下方に位置する段部238に接触し、段部238によって支えられる。
【００４０】
次に第１簡易保持装置240を説明する。
支えプレート224は、底板230に対しほぼ直角に垂立する待機位置SPにおいて第１簡易保持装置240によって主メダル保留装置130の側壁242に仮止めされる。
第１簡易保持装置240は、保持装置244と被保持装置252を含んでいる。
保持装置244は、主メダル保留装置130の開口198側の側壁242の上端部に固定されている。
保持装置244は、図4(A)に示すように、所定の間隔で水平に突出する一対の突起246、及び248の相対する端面に金属ボール250が突出方向に弾性的に付勢されて配置されている。
【００４１】
図4(B)に示すように、被保持体252は保持装置244の突起246及び248の間隔に対応して突出する拡幅頭部を有し、支えプレート224の上端部に固定されている。
主メダル保留装置130が筐体104に対し正規の位置にある場合、支えプレート224がほぼ垂立し、被保持体252の拡幅頭部が保持装置244の金属ボール250間に進入し、それら金属ボール250の付勢力によってその位置を保持されるように構成されている。
この位置が支えプレート224の待機位置SPである。
なお、主メダル保留装置130は、筐体104内の正規の位置においてロック装置251によって底板230に固定される。
ガイド位置GPは、支えプレート224が床面222とほぼ平行に位置し、支柱226の下端が床面222によって支えられた位置である。
【００４２】
簡易保持装置240は、少なくとも一つ装着されていればよいが、図4に示すように2又は3以上取り付けることができる。
なお、主メダル保留装置130の側壁242の下部側面には、一対の引出取手254、256が固定されている。
支柱226は、支えプレート224と同様に薄板からなり、板金加工により縁部に強度向上のためのリブ260を形成した細長矩形を呈している。
支柱226の長辺は、支えプレート224の他端部に対しピボット運動可能に支軸262によって取り付けられている。
支柱226の前面一端部に門形の取手264が固定されている。
【００４３】
支柱226の下部には第２簡易保持装置268が固定されている。
第２簡易保持装置268は、支柱226の下端を支えプレート224の裏面に保持する機能を有する。
第２簡易保持装置268は、支柱226の下端リブ270のスライド孔272及びそれと所定の間隔を有するサポートプレート274に形成したスライド孔276に円柱形のストッパ278をスライド可能に挿入し、ドーム形先端280近傍に形成した円形フランジ282とサポートプレート274との間に介設したスプリング284により、先端280がスライド孔272から突出するよう付勢されている。
【００４４】
この構成により、ドーム形先端280がスライド孔272から僅かに突出した状態でフランジ282が下端リブ270にストップされ、その状態を保つ。
先端280が軸線方向に押された場合、ストッパ278はスライド孔272、276をスライドしスライド孔272内に後退できる。
支柱226は左右のリブ228から突出する支軸262にその上端部がピボット運動可能に取り付けられている。
支柱226がプレート224と平行にされた場合、下端リブ270はプレート224の裏面から突出する保持プレート286に近接した位置になるよう設定されている。
この保持プレート286には、ドーム形先端280よりも小さい掛孔288が形成されている。
【００４５】
ドーム形先端280が掛孔288にスプリング284により突入されることにより、支柱226に対する小さな保持力を発生させている。
これにより、取手264を引いた場合、先端280が掛孔288から外れて支柱226を支軸262に対し回動させることができる。
第２簡易保持装置268は、少なくとも一つ配置すればよいが、実施例のように支柱226の左右端部にそれぞれ配置することができる。
【００４６】
支柱226は、支柱226が床面222に支えられている状態が容易に変更されない機能を有するロック装置290を付設することが好ましい。
ロック装置290を図５を参照して説明する。
ロック装置290は、支柱226のリブ260から突出する固定支軸292に一端を回動自在に支持されたレバー294、及び、支えプレート224のリブ228に形成したL形のカム溝296及びカム溝296において移動可能に挿入されたピン298によって構成されている。
【００４７】
カム溝296は、支えプレート224と平行に伸びるスライド部300及びスライド部300に対し僅かに鋭角をなすロック部302を有する。
支柱226が支軸262を支点にピボット運動された場合、ピン298はスライド部300を直線的に移動する。
支柱226が支えプレート224に対しほぼ直角状態になった場合、ピン298はスライド部300の端部に位置し、自己モーメントによりロック部302に進行する。
【００４８】
この状態で支柱226を戻そうと図５において反時計方向に回動させた場合、ピン298がロック部302に阻止されてスライド部300に移動出来ないため、前記直角状態を維持する。
この状態が支柱226のロック位置RPである。
しかし、レバー294を押してピン298をスライド部300に戻すことにより、ピン298はスライド部300を移動することができる。
したがって、支柱226を支えプレート224側に戻すことができる。
換言すれば、ロック装置290によるロック状態を解除し、支柱226は支軸262を支点に反時計方向へ回動され、待機位置に戻される。
【００４９】
次に本実施例の支え装置220の作用を説明する。
主メダル保留装置130にメダルを補給する場合、まず、前面下部ドア113を開け、筐体104に対しほぼ直角に保持した後、取手264を引く。
これにより、ストッパ278のドーム形先端280が掛孔288の周囲によって押し上げられ、掛孔288から外れる。
したがって、支柱226が支軸262を支点に図8において時計方向に回動することが出来る。
【００５０】
これに連動してピン298がスライド部300をスライドし、支柱226が支軸262を中心時計方向に回動して支えプレート224に対しほぼ直角になった場合、ピン298はレバー294の重量も加わって時計方向に回動し、図5に示すようロック部302に進行する。
これにより、支柱226はロック装置290によりロック位置RPにロックされ、支えプレート224に対しほぼ直角に保持される。
【００５１】
さらに取手264を引いた場合、第１簡易保持装置230が外れる。
すなわち、被保持体252の膨出頭部がボール250を突起246、268内へ押し入れることにより、被保持体252が突起246と268との間から抜け出る。
これにより、支えプレート224がヒンジ232を支点に回動し、図9に示すように支柱226の下端が筐体104の前方の床面222に支えられる。
この状態において、サポートラバー234及び236の下端は、段部238に面接触し、それによって支えられる。
【００５２】
次に、ロック装置251を解除し、取手254、256を引いて開口198から主メダル保留装置130を引き出す。
これにより、主メダル保留装置130は伸縮自在レール200、202によって支えられ、かつ、キャスター190、192、194及び196が底板230及び支えプレート224上を転がって、図10に示すように開口198の外方へ引き出される。
保留メダル量が多い場合、主メダル保留装置130の開口198外への移動により、筐体104の重心は、開口198の外へ移動しようとする。
【００５３】
しかし、主メダル保留装置130の重量の一部はキャスター190、192、194及び196を介して支えプレート224に加わる。
支えプレート224に加わった荷重は、サポートラバー234、236によって段部238を介して開口198側の高さ調整装置147、次いで支えプレート148を介して床面222に、及び、支柱226を介して床面222に支えられるので、筐体104の重心が開口198の外に位置することがない。
したがって、筐体104は倒れることがない。
【００５４】
この状態で、主メダル保留装置130の上部開口からメダルを補給する。
メダル補給後、取手254、256を押して主メダル保留装置130を筐体104内に戻す。
主メダル保留装置130が所定位置に戻った場合、ロック装置251によって底板230に固定される。
【００５５】
次に支えプレート224の先端を上方へ持ち上げ、ヒンジ232を支点にピボット運動させた後、被保持体252を保持装置244に保持させ、第１簡易保留装置230によって保持する。
次いで、レバー294を支軸292を支点に反時計方向に回動させ、ピン298をロック部302からスライド部300に移動させた後、支柱226を支軸262を支点に反時計方向へ回動する。
これにより、ストッパ278の頭部280が保持プレート286により押されて退動した後、掛孔288に進行し、係止される。
次に前面下部ドア113を閉めることにより、稼働準備が終了する。
【００５６】
本実施例はメダルの預かり払出装置に採用した例であるが、本発明はメダルの貸出機に採用することができる。
【図面の簡単な説明】
【００５７】
【図１】図１は、実施例のメダルの処理装置であるメダル預かり払出装置の斜視図である。
【図２】図２は、実施例のメダルの処理装置であるメダル預かり払出装置の前面ドアを開いた状態の斜視図である。
【図３】図３は、実施例のメダルの処理装置であるメダル預かり払出装置のサイドカバー等を除去した状態における後ろ上方からの斜視図である。
【図４】図４は、実施例のメダルの処理装置であるメダル預かり払出装置の支え装置をガイド位置にセットした状態の部分斜視図である。
【図５】図５は、実施例のメダルの処理装置であるメダル預かり払出装置の支え装置をガイド位置にセットした状態のロック装置の拡大側面図である。
【図６】図６は、実施例のメダルの処理装置であるメダル預かり払出装置の支え装置を待機位置にセットした状態の拡大正面図である。
【図７】図７は、図６におけるＣ―Ｃ線断面図である。
【図８】図８は、実施例のメダルの処理装置であるメダル預かり払出装置の支え装置を待機位置にセットした状態の拡大断面図である。
【図９】図９は、実施例のメダルの処理装置であるメダル預かり払出装置の支え装置をガイド位置にセットした状態の説明図である。
【図１０】図１０は、実施例のメダルの処理装置であるメダル預かり払出装置の支え装置をガイド位置にセットし、かつ、主メダル保留装置を筐体外に引き出した状態の説明図である。
【符号の説明】
【００５８】
100  メダル処理装置
104  筐体
106  前面ドア
130  主メダル保留装置
140  メダル払出装置
142  払出保留装置
144  メダルリフト装置
192、194、196、198  キャスター
198  前面開口
220  支え装置
222  床面
226  支柱
290  ロック装置
GP  ガイド位置
SP  待機位置
【図１】
2007061362.tif 000003
【図２】
2007061362.tif 000004
【図３】
2007061362.tif 000005
【図４】
2007061362.tif 000006
【図５】
2007061362.tif 000007
【図６】
2007061362.tif 000008
【図７】
2007061362.tif 000009
【図８】
2007061362.tif 000010
【図９】
2007061362.tif 000011
【図１０】
2007061362.tif 000012